(57)【特許請求の範囲】
【請求項１】
基礎の上端部の少なくとも一部に、横断面矩形状でかつ前記基礎の厚さより薄い欠き込みが前記基礎の長さ方向に長尺に形成された基礎の配筋構造であって、
前記基礎の長さ方向に長尺な欠込下側主筋が、前記基礎の長さ方向における欠き込み幅に亙って該欠き込みの下方でかつ前記基礎の厚さ方向において前記欠き込みより内側に配置され、
前記欠込下側主筋に対して欠き込み側と反対側には差し筋が配置されており、前記差し筋の上端部は、前記欠き込みより前記基礎の厚さ方向内側に配置されていることを特徴とする基礎の配筋構造。
【請求項２】
上端筋と、この上端筋の下方にこれと平行に配置された下端筋と、これら上端筋と下端筋とを上下に連結する縦筋とによって、梯子状をなす梯子筋が構成され、この梯子筋が、その上端筋を欠込下側主筋として、欠き込みの下方に配置されていることを特徴とする請求項１記載の基礎の配筋構造。
【請求項３】
欠き込みが設けられる部位の両側には基礎の主筋が配置され、この主筋と梯子筋とが連結筋で連結されていることを特徴とする請求項２記載の基礎の配筋構造。
【請求項４】
差し筋の上端部と基礎の主筋の上端筋とが補強筋で連結されていることを特徴とする請求項３記載の基礎の配筋構造。
【発明の詳細な説明】
【０００１】
【発明の属する技術分野】
本発明は、欠き込みが設けられる基礎の配筋構造に関する。
【０００２】
【背景の技術】
例えば特開平１０−２８０４３２号公報に示すように、建物の基礎は一般的に鉄筋コンクリートで施工されるが、基礎を施工するにあたって基礎の上端部に欠き込みを設ける場合がある。この欠き込みは、例えばバスユニットの防水パンを設置するために使用されるものである。
【０００３】
【発明が解決しようとする課題】
ところで、基礎の耐久性等の観点から、基礎の配筋のうち基礎の長さ方向に長尺な主筋と、基礎の側面との間の幅（主筋のかぶり厚）を一定以上確保する必要がある。従来は、基礎に欠き込みを設ける場合に、欠き込みの内側に主筋を配置していたので、主筋のかぶり厚を確保するために、欠き込みを基礎の厚さ方向にあまり大きくすることができないという問題があった。
本発明の課題は、欠き込みが形成される基礎において、欠き込みの大きさによらず主筋のかぶり厚を確実に確保して基礎を施工することができる基礎の配筋構造を提供することである。
【０００４】
【課題を解決するための手段】
以上の課題を解決するため、請求項１記載の発明は、例えば図１及び図２に示すように、基礎２の上端部の少なくとも一部に、横断面矩形状でかつ前記基礎の厚さより薄い欠き込み３が前記基礎２の長さ方向に長尺に形成された基礎２の配筋構造１であって、
前記基礎２の長さ方向に長尺な欠込下側主筋１１が、前記基礎２の長さ方向における欠き込み幅に亙って該欠き込み３の下方でかつ前記基礎２の厚さ方向において前記欠き込み３より内側に配置され、
前記欠込下側主筋１１に対して欠き込み３側と反対側には差し筋１４・１４・１４が配置されており、前記差し筋１４・１４・１４の上端部は、前記欠き込み３より前記基礎２の厚さ方向内側に配置されていることを特徴とする。
【０００５】
請求項１記載の発明によれば、欠込下側主筋１１は基礎２の長さ方向に長尺となっているので、欠き込み幅に亙って基礎２の主筋となる。そして、欠込下側主筋１１が欠き込み幅に亙って欠き込み３の下方でかつ前記基礎２の厚さ方向において前記欠き込み３より内側に配置されているので、欠込下側主筋１１と基礎２の側面との間の間隔（主筋のかぶり厚）を欠き込み３の大きさによらずに確保することができる。よって、欠き込み３の大きさによらず主筋のかぶり厚を確実に確保して基礎２を施工することができる。
また、差し筋１４・１４・１４の上端部１４ｂ・１４ｂ・１４ｂは欠き込み３より前記基礎２の厚さ方向内側に配置されているので、差し筋１４・１４・１４の上端部１４ｂ・１４ｂ・１４ｂで欠き込み３の内側の基礎部分を補強することができる。また、差し筋１４は欠込下側主筋１１に対して欠き込み３側と反対側に配置されているので、差し筋１４の上端部１４ｂを欠き込み３から十分間隔を隔てて配置することができる。従って、差し筋１４のかぶり厚を確実に確保して基礎２を施工することができる。
ここで、差し筋１４としては例えば鉄筋をコ字状に折り曲げたものがある。そして、差し筋を欠込下側主筋１１に対して欠き込み３側と反対側に配置するには、例えば、欠込下側主筋１１に対して欠き込み３側と反対側において、差し筋１４を、基礎２の高さ方向に長尺に、かつ上端部１４ｂが欠き込み３の内側に配置されるようにして設置して、差し筋１４を欠込下側主筋１１に溶接すればよい。 
【０００６】
請求項２記載の発明は、例えば図１及び図２に示すように、請求項１記載の基礎２の配筋構造１において、上端筋と、この上端筋の下方にこれと平行に配置された下端筋１２と、これら上端筋と下端筋１２とを上下に連結する縦筋１３・・・とによって、梯子状をなす梯子筋１０が構成され、
この梯子筋１０が、その上端筋を欠込下側主筋１１として、欠き込み３の下方に配置されていることを特徴とする。
【０００７】
請求項２記載の発明によれば、梯子筋１０がその上端筋を欠込下側主筋１１として、欠き込み３の下方に配置されているので、梯子筋１０の縦筋１３・・・で欠込下側主筋１１を欠き込み３の下方に確実に支持しておくことができる。
また、基礎２の配筋を行うに際しては、梯子筋１０を欠き込み３の下方に配置することで、梯子筋１０の上端筋が欠き込み３の下方の基礎部分の上端部に配筋され、梯子筋１０の下端筋１２が欠き込み３の下方の基礎部分の下端部に配筋され、縦筋１３・・・が欠き込み３の下方の基礎部分の上端部と下端部との間に配筋されるので、欠き込み３の下方の配筋を容易に行うことができる。
【０００８】
請求項３記載の発明は、例えば図１及び図２に示すように、請求項２記載の基礎２の配筋構造１において、欠き込み３が設けられる部位の両側には基礎２の主筋（上端筋２１・２１、下端筋２２・２２）が配置され、この主筋２１・２１・２２・２２と梯子筋１０とが連結筋１５・・・で連結されていることを特徴とする。
【０００９】
請求項３記載の発明によれば、主筋２１・２１・２２・２２と梯子筋１０とが連結筋１５・・・で連結されているので、連結筋１５・・・で梯子筋１０を欠き込み３の下方に確実に支持しておくことができる。従って、欠込下側主筋１１を欠き込み３の下方に確実に支持しておくことができる。
ここで、主筋２１・２１・２２・２２と梯子筋１０とを連結筋１５・・・で連結するには、例えば、連結筋１５・・・を主筋２１・２１・２２・２２と梯子筋１０とに亙って配置するとともに、主筋２１・２１・２２・２２と梯子筋１０とに固定すればよい。
【００１３】
請求項４記載の発明は、例えば図１及び図２に示すように、請求項３記載の基礎２の配筋構造１において、差し筋１４・１４・１４の上端部１４ｂ・１４ｂ・１４ｂと基礎２の主筋の上端筋２１・２１とが補強筋１６で連結されていることを特徴とする。
【００１４】
請求項４記載の発明によれば、差し筋１４・１４・１４と補強筋１６とで欠き込み３の内側の基礎部分を補強することができる他、補強筋１６で差し筋１４・１４・１４を欠き込み３の内側に確実に支持しておくことができる。ここで、差し筋１４・１４・１４の上端部１４ｂ・１４ｂ・１４ｂと基礎２の主筋の上端筋２１・２１とを補強筋１６で連結するには、補強筋１６を差し筋１４・１４・１４の上端部１４ｂ・１４ｂ・１４ｂと基礎２の主筋の上端筋２１・２１とに亙って配置するとともに、差し筋１４・１４・１４の上端部１４ｂ・１４ｂ・１４ｂと基礎２の主筋の上端筋２１・２１とに固定すればよい。
【００１５】
【発明の実施の形態】
以下、図を参照して本発明の実施の形態を詳細に説明する。
本実施の形態においては、図１及び図２に示すように、欠き込み３を有する基礎２を鉄筋コンクリートで施工するに際して、本発明に係る基礎の配筋構造１を用いている。
本発明に係る基礎の配筋構造１を図１及び図２に基づいて説明する。
基礎の配筋構造１は、梯子筋１０と、３本の差し筋１４と、複数の連結筋１５と、補強筋１６と、基礎梯子筋２０とを備えている。
【００１６】
梯子筋１０は、欠き込み３の下方に配置されており、基礎２の長さ方向に長尺な上端筋（欠込下側主筋）１１と、欠込下側主筋１１の下方にこれと平行に配置された下端筋１２と、欠込下側主筋１１と下端筋１２とを上下に連結する複数の縦筋１３とによって構成されている。欠込下側主筋１１は、欠き込み幅に亙って主筋となるものである。また、縦筋１３は欠込下側主筋１１及び下端筋１２に固定されている。
【００１７】
差し筋１４は鉄筋をコ字状に折り曲げることで形成されており、互いに平行な一対の脚部１４ａ・１４ａと、脚部１４ａ・１４ａどうしを連結する連結部１４ｂとからなる。
差し筋１４は、連結部１４ｂが欠き込み３の内側に配置されるようにして、梯子筋１０の上端筋１１に対して欠き込み３と反対側に配置されており、上端筋１１及び縦筋１３に固定されている。
【００１８】
基礎梯子筋２０は欠き込み３が形成される部位の両側にそれぞれ配筋されている。
基礎梯子筋２０は、基礎２の長さ方向に長尺に配筋された上端筋（主筋）２１と、上端筋２１の下方にこれと平行に配置された下端筋（主筋）２２と、上端筋２１と下端筋２２とを上下に連結する複数の縦筋２３とによって構成されている。上端筋２１及び下端筋２２は基礎１の主筋となるものである。また、縦筋２３は上端筋２１及び下端筋２２に固定されている。
なお、欠き込み３が形成されない基礎部分には、基礎梯子筋２０を複数連結したものが配筋される。
【００１９】
連結筋１５は、欠き込み３が設けられる部位の両側にそれぞれ配筋されており、第１連結筋１５ａ、第２連結筋１５ｂ及び第３連結筋１５ｃで構成されている。
第１連結筋１５ａは、梯子筋１０の欠込下側主筋１１と、縦筋１３と、基礎梯子筋２０の縦筋２３とに亙って配筋され、欠込下側主筋１１、縦筋１３及び縦筋２３に固定されている。
第２連結筋１５ｂは、直角に折り曲げられており、上端筋２１と第１連結筋１５ａとに亙って配筋され、上端筋２１及び第１連結筋１５ａに固定されている。すなわち、第１連結筋１５ａと第２連結筋１５ｂとで梯子筋１０と上端筋２１とを連結している。
【００２０】
第３連結筋１５ｃは、梯子筋１０の下端筋１２と、縦筋１３と、基礎梯子筋２０の下端筋２３とに亙って配筋され、下端筋１２、縦筋１３及び縦筋２３に固定されている。すなわち、第３連結筋１５ｃで梯子筋１０と下端筋２１とを連結している。
【００２１】
補強筋１６は、３本の差し筋１４の上端部（連結部１４ｂ）と、基礎梯子筋２０の上端筋２１とを連結するものである。すなわち、補強筋１６は、３本の差し筋１４の連結部１４ｂと、基礎梯子筋２０の上端筋２１とに亙って配筋されており、３本の差し筋１４の連結部１４ｂ及び上端筋２１に固定されている。
【００２２】
本実施の形態によれば、欠き込み幅に亙って主筋となる欠込下側主筋１１が欠き込み３の下方に配置されているので、図２に示すように、欠込下側主筋１１と基礎２の側面との間の間隔（主筋のかぶり厚）を欠き込み３の大きさによらずに確保することができる。よって、欠き込み３の大きさによらず主筋のかぶり厚を確実に確保して基礎を施工することができる。
【００２３】
また、梯子筋１０が上端筋を欠込下側主筋１１として、欠き込み３の下方に配置されているので、縦筋１３で欠込下側主筋１１を欠き込み３の下方に確実に支持しておくことができる。
そして、基礎２の配筋を行うに際して、梯子筋１０を欠き込み３の下方に配置することで、梯子筋１１の欠込下側主筋１１が欠き込み３の下方の基礎部分の上端部に配筋され、梯子筋１０の下端筋１２が欠き込み３の下方の基礎部分の下端部に配筋され、縦筋１３が欠き込み３の下方の基礎部分の上端部と下端部との間に配筋されるので、欠き込み３の下方の配筋を容易に行うことができる。
【００２４】
また、基礎２の主筋となる基礎梯子筋２０の上端筋２１・下端筋２２と梯子筋１０とが複数の連結筋１５で連結されているので、複数の連結筋１５で梯子筋１０を欠き込み３の下方に確実に支持しておくことができる。従って、欠込下側主筋１１を欠き込み３の下方に確実に支持しておくことができる。
【００２５】
また、差し筋１４の連結部１４ｂが欠き込み３の内側に配置されているので、連結部１４ｂで欠き込み３の内側の基礎部分を補強することができる。また、差し筋１４は欠込下側主筋１１に対して欠き込み３側と反対側に配置されているので、連結部１４ｂを欠き込み３から十分間隔を隔てて配置することができる。従って、差し筋１４のかぶり厚を確実に確保して基礎を施工することができる。
【００２６】
さらには、補強筋１６が３本の差し筋１４の上端部（連結部１４ｂ）と、基礎梯子筋２０の上端筋２１とを連結しているので、差し筋１４と補強筋１６とで欠き込み３の内側の基礎部分を補強することができる他、補強筋１６で差し筋１４を欠き込みの内側に確実に支持しておくことができる。
【００２７】
なお、以上の実施の形態においては、基礎の配筋を梯子筋２０で行う場合を例にとって説明したが、本発明は基礎の配筋を主筋とあばら筋とからなる籠形状の骨組で行う場合にも適用できる。この場合、基礎の欠き込みの下方に図３に示すような籠形状の骨組３０を配置すればよい。
【００２８】
骨組３０は、上下・左右に配筋された４本の主筋３１と、これら４本の主筋３１を囲むようにして配筋された複数のあばら筋３２とで構成されており、あばら筋３２は主筋３１の長手方向に所定間隔で配筋され、主筋３１に固定されている。そして、欠込下側主筋を欠き込みの下方に配置するには、４本の主筋３１の上端筋３１ａを欠込下側主筋として、骨組３０を欠き込みの下方に配置すればよい。
【００２９】
【発明の効果】
請求項１記載の発明によれば、欠き込み幅に亙って主筋となる欠込下側主筋と基礎の側面との間の間隔（主筋のかぶり厚）を欠き込みの大きさによらずに確保することができる。よって、欠き込みの大きさによらず主筋のかぶり厚を確実に確保して基礎を施工することができる。
また、差し筋の上端部で欠き込みの内側の基礎部分を補強することができる。また、差し筋の上端部を欠き込みから十分間隔を隔てて配置することができるので、差し筋のかぶり厚を確実に確保して基礎を施工することができる。
【００３０】
請求項２記載の発明によれば、請求項１と同様の効果を得ることができるのは勿論のこと、梯子筋の縦筋で欠込下側主筋を欠き込みの下方に確実に支持しておくことができる他、欠き込みの下方の配筋を容易に行うことができる。請求項３記載の発明によれば、請求項２と同様の効果を得ることができるのは勿論のこと、連結筋で梯子筋を欠き込みの下方に確実に支持しておくことができる。従って、欠込下側主筋を欠き込みの下方に確実に支持しておくことができる。
【００３２】
請求項４記載の発明によれば、請求項３と同様の効果を得ることができるのは勿論のこと、差し筋と補強筋とで欠き込みの内側の基礎部分を補強することができる他、補強筋で差し筋を欠き込みの内側に確実に支持しておくことができる。
【図面の簡単な説明】
【図１】本発明を適用した一実施の形態の基礎の配筋構造の構成を示す斜視図である。
【図２】同、基礎の配筋構造の上端部側の構成を示した縦断面図である。
【図３】欠込下側主筋を備えた骨組の例を示す斜視図である。
【符号の説明】
１    基礎の配筋構造
２    基礎
３    欠き込み
１０    梯子筋
１１・３１ａ    欠込下側主筋
１２    梯子筋の下端筋
１３    梯子筋の縦筋
１４    差し筋
１４ｂ  差し筋の連結部（上端部）
１５    連結筋
１６    補強筋
２１    基礎梯子筋の上端筋（基礎の主筋）
２２    基礎梯子筋の下端筋（基礎の主筋）
【図１】
0004410905.tif 000002
【図２】
0004410905.tif 000003
【図３】
0004410905.tif 000004